【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】  スペクトル内のある領域の色を発生させる、少なくとも２色の異なる色を有する第一の複数の発光ダイオード（ＬＥＤ）；
前記第一の複数のＬＥＤに供給される電流の少なくとも一つを制御して、前記スペクトル内の対応する色を発生せしめる第一の処理装置；
電源から少なくとも第一の複数のＬＥＤへ電流を供給するための電力供給モジュール、
を備えたモジュラーＬＥＤ装置であって、前記第一の複数のＬＥＤは、第一のストリップ上に実質的に線状に連なって配置され、前記第一のストリップは、少なくとも一つのカップリング機構を具備し、該カップリング機構によって、前記第一のストリップの少なくとも第二の複数のＬＥＤを備えた第二のストリップへの連結を少なくとも許容することを特徴とする、前記モジュラーＬＥＤ装置。
【請求項２】  第二のストリップを、第一のストリップと組み合わせてさらに備えて、相互に連結された少なくとも前記第一のストリップおよび第二のストリップを具備した線状のアレイの照明システムを形成し、
前記第一のストリップは、第一の複数のＬＥＤを第一の実質的に線状のプラットホームに配置して備え、そして、
前記第二のストリップは、第二の複数のＬＥＤを第二の実質的に線状のプラットホームに配置して備えた、請求項１に記載のモジュラーＬＥＤ装置。
【請求項３】  第一の実質的に線状のプラットホームおよび第二の実質的に線状のプラットホームの少なくとも一方が、曲線状のプラットホームである、請求項２に記載のシステム。
【請求項４】  相互に連結された線状のアレイが、相互に接続された曲線状のアレイである、請求項３に記載のシステム。
【請求項５】  第一のストリップおよび第二のストリップのそれぞれが、収容部を具備している、請求項２〜４のいずれかに記載のシステム。
【請求項６】  カップリング機構が、第一のストリップおよび第二のストリップの各プラットホームを連結し、相互に連結された線状のアレイを形成するように適合している、請求項５に記載のシステム。
【請求項７】  収容部が、実質的に透明な材料によって形成されている、請求項５または６に記載のシステム。
【請求項８】  実質的に透明な材料が、前記材料を透過する光の異なる色を組み合わせるように適合している、請求項７に記載のシステム。
【請求項９】  第一の複数のＬＥＤおよび第二の複数のＬＥＤが、第一のストリップおよび第二のストリップの各収容部を照明するように配置されている、請求項５〜８のいずれかに記載のシステム。
【請求項１０】  カップリング機構が、少なくとも第一のストリップおよび第二のストリップを、機械的および電気的に、一緒に連結するように適合している、請求項２〜９のいずれかに記載のシステム。
【請求項１１】  第二のストリップが、第二の複数のＬＥＤに供給される電流の少なくとも一つを制御して、第二の複数のＬＥＤから対応する色を発生せしめる第二の処理装置を具備している、請求項２〜１０のいずれかに記載のシステム。
【請求項１２】  第一の処理装置および第二の処理装置の少なくとも一つを、第一のストリップおよび第二のストリップが、知覚可能な実質的に同じ色の光を供給して照明を発生せしめるように配備した、請求項１１に記載のシステム。
【請求項１３】  第一の処理装置および第二の処理装置の少なくとも一つを、第一のストリップおよび第二のストリップが、知覚可能な各々異なる色の光を供給して照明を発生せしめるように配備した、請求項１１に記載のシステム。
【請求項１４】  第一の処理装置および第二の処理装置の少なくとも一つを、少なくとも一つの時変制御シグナルをアウトプットし、対応する複数のＬＥＤによって発生する照明を動的に変化せしめるように配備した、請求項１１〜１３のいずれかに記載のシステム。
【請求項１５】  第一の処理装置および第二の処理装置の少なくとも一つを、対応する複数のＬＥＤによって発生する照明が、本質的に白色の光になるように配備した、請求項１１〜１３のいずれかに記載のシステム。
【請求項１６】  第一の処理装置および第二の処理装置の少なくとも一つが、アドレス可能な処理装置として配備されている、請求項１１〜１５のいずれかに記載のシステム。
【請求項１７】  少なくとも第一のストリップおよび第二のストリップの相互に連結された線状のアレイが、コーブを照明するように配置されている、請求項２〜１６のいずれかに記載のシステムを具備したコーブ。
【請求項１８】  少なくとも第一のストリップおよび第二のストリップの相互に連結された線状のアレイを搭載している表面を備えた、請求項２〜１６のいずれかに記載のシステムを具備した建造物。
【請求項１９】  表面が、建造物の外表面を含み、少なくとも第一のストリップおよび第二のストリップの相互に連結された線状のアレイが、前記外表面に搭載されている、請求項１８に記載の建造物。
【請求項２０】  少なくとも第一のストリップおよび第二のストリップの相互に連結された線状のアレイが、建造物の外周の少なくとも一部分の輪郭を描くように配置されている、請求項１９に記載の建造物。
【請求項２１】  少なくとも第一のストリップおよび第二のストリップの相互に連結された線状のアレイが、商標、ブランド、サービスマークおよびロゴの少なくとも一つを、建造物の外表面に備えるように配置されている、請求項１９に記載の建造物。
【請求項２２】  少なくとも第一のストリップおよび第二のストリップの相互に連結された線状のアレイが、図柄、単語、シンボル、数字およびキャラクターの少なくとも一つを、建造物の外表面に備えるように配置されている、請求項１９に記載の建造物。
【請求項２３】  請求項２〜１６のいずれかに記載の照明システムを備えたインテリアスペースであって、少なくとも第一のストリップおよび第二のストリップの相互に連結された線状のアレイが、前記インテリアスペースを照明するように配置されている、前記インテリアスペース。
【請求項２４】  少なくとも第一のストリップおよび第二のストリップの、相互に連結された線状のアレイを具備しているモジュラー照明システムにおける下記行為を含む方法であって、前記第一のストリップは、第一の複数のＬＥＤを備え、前記第二のストリップは、第二の複数のＬＥＤを備える：
（Ａ）少なくとも第一のストリップおよび第二のストリップを一緒に連結し、相互に連結された、ストリップの線状のアレイを形成する行為。
【請求項２５】  行為（Ａ）が、少なくとも第一のストリップおよび第二のストリップを一緒に連結し、相互に連結された、ストリップの曲線状のアレイを形成することを含む、請求項２４に記載の方法。
【請求項２６】  第一のストリップおよび第二のストリップが、活性化された際に知覚可能な実質的に同じ色の光を供給するように配備されている、請求項２４または２５に記載の方法であって、
少なくとも第一のストリップおよび第二のストリップを活性化し、相互に連結されたストリップの線状のアレイから、前記知覚可能な同じ色の光を発生せしめる行為をさらに含む、前記方法。
【請求項２７】  第一のストリップおよび第二のストリップが、活性化された際に知覚可能な各々異なる色の光を供給するように配備されている、請求項２４または２５に記載の方法であって、
少なくとも第一のストリップおよび第二のストリップを活性化し、相互に連結されたストリップの線状のアレイから、少なくとも二つの知覚可能な異なる色の光を発生せしめる行為をさらに含む、前記方法。
【請求項２８】  少なくとも第一のストリップおよび第二のストリップの一つが、活性化された際に少なくとも一つの動的な照明効果を発生するように配備されている、請求項２４〜２７のいずれかに記載の方法であって、
少なくとも第一のストリップおよび第二のストリップを活性化し、相互に連結されたストリップの線状のアレイから、前記少なくとも一つの動的な照明効果を発生せしめる行為をさらに含む、前記方法。
【請求項２９】  少なくとも第一のストリップおよび第二のストリップの一つが、活性化された際に本質的に白色の光を発生するように配備されている、請求項２４〜２８のいずれかに記載の方法であって、
少なくとも第一のストリップおよび第二のストリップを活性化し、相互に連結されたストリップの線状のアレイから、前記本質的に白色の光を発生せしめる行為をさらに含む、前記方法。
【請求項３０】  第一のストリップおよび第二のストリップのそれぞれが、線状に成形された収容部を備えている、請求項２４〜２９のいずれかに記載の方法であって、行為（Ａ）が、
第一のストリップおよび第二のストリップそれぞれの前記線状に成形された収容部を連結し、相互に連結された線状のアレイを形成せしめる行為をさらに含む、前記方法。
【請求項３１】  行為（Ａ）が、少なくとも第一のストリップおよび第二のストリップを電気的および機械的に連結し、相互に連結された線状のアレイを形成する行為をさらに含む、請求項２４〜３０のいずれかに記載の方法。
【請求項３２】  少なくとも第一のストリップおよび第二のストリップを個別にアドレスし、第一の複数のＬＥＤおよび第二の複数のＬＥＤを制御する行為をさらに含む、請求項２４〜３１のいずれかに記載の方法。
【請求項３３】  相互に連結された線状のアレイを、コーブを照明するように配置する行為をさらに含む、請求項２４〜３２のいずれかに記載の方法。
【請求項３４】  下記行為をさらに含む、請求項２４〜３２のいずれかに記載の方法：
（Ｂ）建造物の表面に、相互に連結された線状のアレイを搭載せしめる行為。
【請求項３５】  行為（Ｂ）が、ストリップの相互に連結された線状のアレイを建造物の外表面に配置し、建造物の外周の少なくとも一部分の輪郭を描くようにする行為を含む、請求項３４に記載の方法。
【請求項３６】  行為（Ｂ）が、ストリップの相互に連結された線状のアレイを建造物の外表面に配置し、商標、ブランド、サービスマークおよびロゴの少なくとも一つを、建造物の外表面に形成せしめる行為を含む、請求項３４に記載の方法。
【請求項３７】  行為（Ｂ）が、ストリップの相互に連結された線状のアレイを建造物の外表面に配置し、図柄、単語、シンボル、数字およびキャラクターの少なくとも一つを、建造物の外表面に形成せしめる行為を含む、請求項３４に記載の方法。
【請求項３８】  ストリップの相互に連結された線状のアレイを、インテリアスペースを照明するように配置する行為をさらに含む、請求項２４〜３４のいずれかに記載の方法。
【手続補正２】
【補正対象書類名】明細書
【補正対象項目名】００１０
【補正方法】変更
【補正の内容】
【００１０】
簡潔に言うと、本明細書で開示されるのは、ある点灯アセンブリ、おそらくはＬＥＤシステムあるいはＬＥＤ点灯アセンブリのための電流制御技術であり、その電流制御技術とは、パルス幅変調（ＰＷＭ）電流制御技術でも良く、あるいは電流制御される各ユニットが唯一のものとしてアドレス指定可能となっており、かつそれらの各ユニットがコンピュータ点灯ネットワーク上で照明色に関する情報を受信することが可能となっているような、その他の形態の電流制御技術でも良い。本明細書中で使用される「電流制御技術」という用語は、ＰＷＭ電流制御、アナログ式電流制御、デジタル式電流制御、その他いかなる電流制御のための方法および装置をも含めて指すものとする。
すなわち、本発明は、スペクトル内のある領域の色を発生させる、少なくとも２色の異なる色を有する第一の複数の発光ダイオード（ＬＥＤ）；
前記第一の複数のＬＥＤに供給される電流の少なくとも一つを制御して、前記スペクトル内の対応する色を発生せしめる第一の処理装置；
電源から少なくとも第一の複数のＬＥＤへ電流を供給するための電力供給モジュール、
を備えたモジュラーＬＥＤ装置であって、前記第一の複数のＬＥＤは、第一のストリップ上に実質的に線状に連なって配置され、前記第一のストリップは、少なくとも一つのカップリング機構を具備し、該カップリング機構によって、前記第一のストリップの少なくとも第二の複数のＬＥＤを備えた第二のストリップへの連結を少なくとも許容することを特徴とする、前記モジュラーＬＥＤ装置に関する。
また、本発明は、第二のストリップを、第一のストリップと組み合わせてさらに備えて、相互に連結された少なくとも前記第一のストリップおよび第二のストリップを具備した線状のアレイの照明システムを形成し、
前記第一のストリップは、第一の複数のＬＥＤを第一の実質的に線状のプラットホームに配置して備え、そして、
前記第二のストリップは、第二の複数のＬＥＤを第二の実質的に線状のプラットホームに配置して備えた、前記モジュラーＬＥＤ装置に関する。
さらに、本発明は、第一の実質的に線状のプラットホームおよび第二の実質的に線状のプラットホームの少なくとも一方が、曲線状のプラットホームである、前記システムに関する。
また、本発明は、相互に連結された線状のアレイが、相互に接続された曲線状のアレイである、前記システムに関する。
さらに、本発明は、第一のストリップおよび第二のストリップのそれぞれが、収容部を具備している、前記システムに関する。
また、本発明は、カップリング機構が、第一のストリップおよび第二のストリップの各プラットホームを連結し、相互に連結された線状のアレイを形成するように適合している、前記システムに関する。
さらに、本発明は、収容部が、実質的に透明な材料によって形成されている、前記システムに関する。
また、本発明は、実質的に透明な材料が、前記材料を透過する光の異なる色を組み合わせるように適合している、前記システムに関する。
さらに、本発明は、第一の複数のＬＥＤおよび第二の複数のＬＥＤが、第一のストリップおよび第二のストリップの各収容部を照明するように配置されている、前記システムに関する。
また、本発明は、カップリング機構が、少なくとも第一のストリップおよび第二のストリップを、機械的および電気的に、一緒に連結するように適合している、前記システムに関する。
さらに、本発明は、第二のストリップが、第二の複数のＬＥＤに供給される電流の少なくとも一つを制御して、第二の複数のＬＥＤから対応する色を発生せしめる第二の処理装置を具備している、前記システムに関する。
また、本発明は、第一の処理装置および第二の処理装置の少なくとも一つを、第一のストリップおよび第二のストリップが、知覚可能な実質的に同じ色の光を供給して照明を発生せしめるように配備した、前記システムに関する。
さらに、本発明は、第一の処理装置および第二の処理装置の少なくとも一つを、第一のストリップおよび第二のストリップが、知覚可能な各々異なる色の光を供給して照明を発生せしめるように配備した、前記システムに関する。
また、本発明は、第一の処理装置および第二の処理装置の少なくとも一つを、少なくとも一つの時変制御シグナルをアウトプットし、対応する複数のＬＥＤによって発生する照明を動的に変化せしめるように配備した、前記システムに関する。
さらに、本発明は、第一の処理装置および第二の処理装置の少なくとも一つを、対応する複数のＬＥＤによって発生する照明が、本質的に白色の光になるように配備した、前記システムに関する。
また、本発明は、第一の処理装置および第二の処理装置の少なくとも一つが、アドレス可能な処理装置として配備されている、前記システムに関する。
さらに、本発明は、少なくとも第一のストリップおよび第二のストリップの相互に連結された線状のアレイが、コーブを照明するように配置されている、前記システムを具備したコーブに関する。
また、本発明は、少なくとも第一のストリップおよび第二のストリップの相互に連結された線状のアレイを搭載している表面を備えた、前記システムを具備した建造物に関する。
さらに、本発明は、表面が、建造物の外表面を含み、少なくとも第一のストリップおよび第二のストリップの相互に連結された線状のアレイが、前記外表面に搭載されている、前記建造物に関する。
また、本発明は、少なくとも第一のストリップおよび第二のストリップの相互に連結された線状のアレイが、建造物の外周の少なくとも一部分の輪郭を描くように配置されている、前記建造物に関する。
さらに、本発明は、少なくとも第一のストリップおよび第二のストリップの相互に連結された線状のアレイが、商標、ブランド、サービスマークおよびロゴの少なくとも一つを、建造物の外表面に備えるように配置されている、前記建造物に関する。
また、本発明は、少なくとも第一のストリップおよび第二のストリップの相互に連結された線状のアレイが、図柄、単語、シンボル、数字およびキャラクターの少なくとも一つを、建造物の外表面に備えるように配置されている、前記建造物に関する。
また、本発明は、前記照明システムを備えたインテリアスペースであって、少なくとも第一のストリップおよび第二のストリップの相互に連結された線状のアレイが、前記インテリアスペースを照明するように配置されている、前記インテリアスペースに関する。
また、本発明は、少なくとも第一のストリップおよび第二のストリップの、相互に連結された線状のアレイを具備しているモジュラー照明システムにおける下記行為を含む方法に関し、該方法において、前記第一のストリップは、第一の複数のＬＥＤを備え、前記第二のストリップは、第二の複数のＬＥＤを備える：
（Ａ）少なくとも第一のストリップおよび第二のストリップを一緒に連結し、相互に連結された、ストリップの線状のアレイを形成する行為。
さらに、本発明は、行為（Ａ）が、少なくとも第一のストリップおよび第二のストリップを一緒に連結し、相互に連結された、ストリップの曲線状のアレイを形成することを含む、前記方法に関する。
また、本発明は、第一のストリップおよび第二のストリップが、活性化された際に知覚可能な実質的に同じ色の光を供給するように配備されている、前記方法であって、
少なくとも第一のストリップおよび第二のストリップを活性化し、相互に連結されたストリップの線状のアレイから、前記知覚可能な同じ色の光を発生せしめる行為をさらに含む、前記方法に関する。
さらに、本発明は、第一のストリップおよび第二のストリップが、活性化された際に知覚可能な各々異なる色の光を供給するように配備されている、前記方法であって、
少なくとも第一のストリップおよび第二のストリップを活性化し、相互に連結されたストリップの線状のアレイから、少なくとも二つの知覚可能な異なる色の光を発生せしめる行為をさらに含む、前記方法に関する。
また、本発明は、少なくとも第一のストリップおよび第二のストリップの一つが、活性化された際に少なくとも一つの動的な照明効果を発生するように配備されている、前記方法であって、
少なくとも第一のストリップおよび第二のストリップを活性化し、相互に連結されたストリップの線状のアレイから、前記少なくとも一つの動的な照明効果を発生せしめる行為をさらに含む、前記方法に関する。
さらに、本発明は、少なくとも第一のストリップおよび第二のストリップの一つが、活性化された際に本質的に白色の光を発生するように配備されている、前記方法であって、
少なくとも第一のストリップおよび第二のストリップを活性化し、相互に連結されたストリップの線状のアレイから、前記本質的に白色の光を発生せしめる行為をさらに含む、前記方法に関する。
また、本発明は、第一のストリップおよび第二のストリップのそれぞれが、線状に成形された収容部を備えている、前記方法であって、行為（Ａ）が、
第一のストリップおよび第二のストリップそれぞれの前記線状に成形された収容部を連結し、相互に連結された線状のアレイを形成せしめる行為をさらに含む、前記方法に関する。
さらに、本発明は、行為（Ａ）が、少なくとも第一のストリップおよび第二のストリップを電気的および機械的に連結し、相互に連結された線状のアレイを形成する行為をさらに含む、前記方法に関する。
また、本発明は、少なくとも第一のストリップおよび第二のストリップを個別にアドレスし、第一の複数のＬＥＤおよび第二の複数のＬＥＤを制御する行為をさらに含む、前記方法に関する。
さらに、本発明は、相互に連結された線状のアレイを、コーブを照明するように配置する行為をさらに含む、前記方法に関する。
また、本発明は、下記行為をさらに含む、前記方法に関する：
（Ｂ）建造物の表面に、相互に連結された線状のアレイを搭載せしめる行為。
さらに、本発明は、行為（Ｂ）が、ストリップの相互に連結された線状のアレイを建造物の外表面に配置し、建造物の外周の少なくとも一部分の輪郭を描くようにする行為を含む、前記方法に関する。
また、本発明は、行為（Ｂ）が、ストリップの相互に連結された線状のアレイを建造物の外表面に配置し、商標、ブランド、サービスマークおよびロゴの少なくとも一つを、建造物の外表面に形成せしめる行為を含む、前記方法に関する。
さらに、本発明は、行為（Ｂ）が、ストリップの相互に連結された線状のアレイを建造物の外表面に配置し、図柄、単語、シンボル、数字およびキャラクターの少なくとも一つを、建造物の外表面に形成せしめる行為を含む、前記方法に関する。
そして、本発明は、（Ｂ）ストリップの相互に連結された線状のアレイを、インテリアスペースを照明するように配置する行為をさらに含む、前記方法に関する。